(57)【要約】 【課題】  袖ぐりの深い洋服を着る際等にブラジャー等の衣服の肩紐が見えないように、左右の肩紐を身体の中心側に引き寄せて保持する衣服用紐留め具を提供する。【解決手段】  衣服用紐留め具Ｓは、左右一対の第一基部１と第二基部５と、第一基部１と第二基部５とを連結する連結杆１０と、連結杆１０の上方と下方において、第一基部１と第二基部５から対向するように突出するそれぞれ２本ずつの第一係止片２２，２４と第二係止片３２、３４とを備える。第一係止片２２，２４と連結杆１０との間の隙間８及び第二係止片３２，３４と連結杆１０との間の隙間８を利用してブラジャー等の左右の肩紐を第一係止片２２，２４、第二係止片３２，３４及び連結杆１０と絡ませるようにして使用する。【選択図】  図１
0003153429.tif 000002
【実用新案登録請求の範囲】
【請求項１】
衣服の左右一対の肩紐を相互に引き寄せて保持する衣服用紐留め具であって、
左右一対の第一基部と第二基部と、
前記第一基部と第二基部とを連結する連結杆と、
前記連結杆の上方と下方において、前記第一基部の上端と下端から前記第二基部に向かって突出する２本の第一係止片と、
前記連結杆の上方と下方において、前記第二基部の上端と下端から前記第一基部に向かって突出し、前記２本の第一係止片とそれぞれ対向する２本の第二係止片と、
を備えることを特徴とする衣服用紐留め具。
【請求項２】
前記連結杆が、長手方向の中心であって、相互に対向する前記第一係止片と第二係止片の間となる位置に、幅方向に突出する突出部を備えることを特徴とする請求項１に記載の衣服用紐留め具。
【請求項３】
前記第一係止片と第二係止片との前記連結杆側の内縁が、それぞれ前記連結杆との間に僅かな隙間をあけて前記連結杆と平行に配置されることを特徴とする請求項１または請求項２に記載の衣服用紐留め具。
【請求項４】
前記衣服用紐留め具が、前記連結杆の長手方向の中心を前記連結杆の軸直交方向に沿って通る線に対して左右対称に形成され、
前記第一係止片及び第二係止片の前記連結杆から離れた側の外縁が、それぞれ元部側から先端側にかけて、前記連結杆側に次第に近づくように延びて前記連結杆側の内縁と連結されるように形成されることを特徴とする請求項１乃至請求項３のいずれかに記載の衣服用紐留め具。
【考案の詳細な説明】
【技術分野】
【０００１】
本考案は衣服の一対の肩紐を相互に引き寄せて保持する留め具に関する。
【背景技術】
【０００２】
女性用の衣服のうち、ブラジャーやスリップ等の下着類は、着用者の胸部から背中側にかけて左右に配置される一対の肩紐（吊り紐）を備え、この肩紐により肩から吊られて着用される。
【０００３】
出願人の知る限りにおいては、記載すべき先行技術文献情報は無い。
【考案の概要】
【考案が解決しようとする課題】
【０００４】
女性は、袖の無い、または袖の短い洋服を着用する際には、ブラジャー等の下着類の肩紐が洋服から出ないように気を遣っている。特に、例えばタンクトップ等の、袖ぐりの深い、肩を露わにするような形状の洋服を着用する際には、通常のブラジャーでは肩紐が洋服から露出してしまうので、肩紐が取り外せるタイプのブラジャーを、肩紐を取り外して使用しているのが現状である。
【０００５】
しかしながら、肩紐が取り外せるタイプのブラジャーは市場において出回っている品数としては多くないため、そのような特殊なブラジャーを使用せず、普通のブラジャーを着用した際にも袖ぐりの深い洋服を着たいという女性の要望が強い。
【０００６】
また、なで肩の女性などは、ブラジャー等の肩紐が腕の方に落ちてしまいやすく、半袖や袖無しの洋服を着用する際に肩紐が落ちないようにする何らかの手段を要望している。
【０００７】
そこで、本考案は、袖ぐりの深い洋服を着る際等にブラジャー等の下着類の肩紐が見えないように、または肩紐が腕の方へ落ちないように、左右の肩紐を身体の中心側に引き寄せて保持する衣服用紐留め具を提供することを目的とする。
【課題を解決するための手段】
【０００８】
本考案に係る衣服用紐留め具（以下、紐留め具、とする）は、左右一対の第一基部と第二基部と、第一基部と第二基部とを連結する連結杆と、連結杆の上方と下方において、前記第一基部の上端と下端から第二基部に向かって突出する２本の第一係止片と、連結杆の上方と下方において、第二基部の上端と下端から第一基部に向かって突出し、２本の第一係止片とそれぞれ対向する２本の第二係止片と、を備える。
【０００９】
このような紐留め具は、各第一係止片、第二係止片と連結杆との間の隙間にブラジャー等の衣服の左右の肩紐を挿通させて各係止片と連結杆とに絡めるようにして衣服に装着することにより、該衣服の左右一対の肩紐を身体の中央側に引き寄せて保持するため、袖ぐりの深い洋服を着た場合にも、肩紐をその深い袖ぐりの内側に保持することができ、肩紐が洋服からはみ出して見えてしまったり、腕の方へ落ちてしまうことを防止できる。
【００１０】
この紐留め具において、連結杆が、長手方向の中心であって、相互に対向する第一係止片と第二係止片の間となる位置に、幅方向に突出する突出部を備える構成とすれば、身体の動きに伴い、肩紐が内側に移動して、遂には紐留め具から肩紐が外れてしまうことを該突出部により防止できるため、着用者が安心して紐留め具を使用することができる。
【００１１】
また、上述の紐留め具において、各第一係止片、第二係止片の連結杆側の縁、すなわち内縁を、ブラジャー等の衣服の肩紐を挿通可能な程度の僅かな隙間を設けて連結杆に対して平行に配置する構成とすれば、紐留め具を予め装着したブラジャー等の衣服の着用時若しくは着用中に、紐留め具から肩紐が外れにくく、ブラジャー等の衣服の着用も容易となり、また、一層安心して使用することができる。
【００１２】
上述の紐留め具は、連結杆の長手方向の中心を連結杆の軸直交方向に沿って通る線に対して左右対称形に形成され、第一係止片及び第二係止片との連結杆から離れた側の縁、すなわち外縁が、それぞれ元部側から先端側にかけて、連結杆側に次第に近づくように延びて連結杆側の内縁と連結されるような形状とすることが望ましい。これによれば、紐留め具は全体として観察した場合に、ちょうちょ結びをしたリボンのような形状となり、見た目にも可愛らしく、より外観の優れたものを身に付けたいという女性の要望にも応えることができる。
【図面の簡単な説明】
【００１３】
【図１】本考案の実施例である衣服用紐留め具の斜視図である。
【図２】実施例の衣服用紐留め具の正面である。
【図３】実施例の衣服用紐留め具の使用方法を説明する図である。
【図４】実施例の衣服用紐留め具の使用態様を示す図である。
【考案を実施するための最良の形態】
【００１４】
以下に本考案の望ましい実施形態を図面に基づいて説明する。
【００１５】
図１、図２に示す本考案の実施例である衣服用紐留め具（以下、紐留め具、とする）Ｓは、左右の幅が約４ｃｍ、上下の幅が約１．５ｃｍの平板状のものであり、プラスチックで一体的に成形されている。紐留め具Ｓは、左側に配置される第一基部１と、右側に配置される第二基部５と、第一基部１と第二基部５とを連結する連結杆１０と、第一基部１から第二基部５に向かって突出する２本の第一係止片２２，２４と、第二基部５から第一基部１に向かって第一係止片２２，２４と対向するように突出する２本の第二係止片３２，３４とを備える。
【００１６】
第一基部１は、連結杆１０の左側端部と第一係止片２２，２４の元部を連結するように形成され、第二基部５は、連結杆１０の右側端部と第二係止片３２，３４の元部を連結するように形成されている。
【００１７】
連結杆１０は、第一基部１と第二基部５のそれぞれの上下方向の中央部において、第一基部１と第二基部５とを直線状に連結するように延設されている。連結杆１０は、左右方向（すなわち、長手方向）の中央部に、上下方向（すなわち幅方向）に突出する突出部１５を備えている。
【００１８】
第一係止片２２，２４は、上述の連結杆１０の上方と下方において、第一基部１の上端と下端から第二基部５に向かって突出している。本実施形態では、第一係止片２２，２４は、それぞれ元部側における幅を太くし、第二基部５側に近づく先端側にかけて、連結杆１０側に向かって先細るような略三角板状に形成されている。より具体的には、第一係止片２２，２４は、それぞれ、連結杆１０に近い側の縁である内縁２２ａ，２４ａが第一基部１から連結杆１０と平行に直線状に延び、連結杆１０から離れた側の縁である外縁２２ｂ、２４ｂが、第一基部１の上下端部からそれぞれ連結杆１０側に次第に近づくようにテーパ状に延びて内縁２２ａ、２４ａと連結されるような略直角三角形状に形成されている。第一係止片２２，２４と、その間に配置される連結杆１０の間には、衣服の肩紐を挿通可能な程度の僅かな隙間８が設けられている。
【００１９】
図２に示すように、紐留め具Ｓは、連結杆１０の中央に設けられた突出部１５の部位を中心に、第一基部１が配置される左側と、第一基部５が配置される右側とが、左右対称に形成されるものであり、右側に配置される第二係止片３２，３４は、紐留め具Ｓの右側において、第一係止片２２，２４と同様の構成としているため、その説明は省略する。なお、第一係止片２２，２４及び第二係止片３２，３４は、それぞれ連結杆１０の長さの１／２より短い長さに形成され、これにより、対応する第一係止片２２と第二係止片３２との先端部の間及び第一係止片２４と第二係止片３４との先端部の間には衣服の肩紐の挿入口となる隙間１７が形成されている。
【００２０】
このように構成された衣服用紐留め具Ｓを使用するには、図３に示すように、まず、ブラジャーＢ（図４参照）を着用する前に、ブラジャーＢの例えば左側の肩紐ＨＬを、挿入口１７を経由して紐留め具Ｓの下側の第一係止片２４と連結杆１０の間との隙間８と、連結杆１０と上側の第一係止片２２との間の隙間８に順に挿入する。このとき、肩紐ＨＬは、図３に示すように、第一係止片２２，２４の後面（ブラジャーＢの着用時に着用者側となる面）を通って連結杆１０の前面（ブラジャーＢの着用時に外側を向く側の面）を覆うようにしても、第一係止片２２，２４の前面を通って連結杆１０の後面を通るようにしてもよい。そして次に、右側の肩紐ＨＲを、同様に挿入口１７を経由して下側の第二係止片３４と連結杆１０の間との隙間８と、連結杆１０と上側の第二係止片３２との間の隙間８に順に挿入する。
【００２１】
こうして紐留め具ＳをブラジャーＢに装着し終えたら、その状態でブラジャーＢを被るようにして着用し、後ろ側のホックを留めれば、図４に示すように、紐留め具Ｓを使用して、左右の肩紐ＨＬ，ＨＲを身体の中央側に引き寄せて保持した状態で、ブラジャーを着用することができる。
【００２２】
このように、本実施例の衣服用紐留め具Ｓは、ブラジャー等の衣服の左右の肩紐ＨＬ，ＨＲを身体の中心側に引き寄せて保持するため、図４の二点鎖線に示すような、袖ぐりのラインＡが深い洋服を着た場合にも、ブラジャーＢの左右の肩紐ＨＬ，ＨＲをラインＡより内側に保持し、肩紐ＨＬ，ＨＲが洋服からはみ出して見えてしまうことを防止し、また、肩紐ＨＬ，ＨＲが腕の方へ落ちてしまうことを防止する。
【００２３】
特に、本実施例の衣服用紐留め具Ｓでは、連結杆１０が、長手方向の中心であって、相互に対向する第一係止片２２，２４と第二係止片３２，３４との間となる位置に、幅方向に突出する突出部１５を備える。この突出部１５は、紐留め具Ｓの使用時に、身体の動きに伴い、肩紐ＨＬ，ＨＲが内側に移動しようとするのをブロックするため、そのような肩紐ＨＬ，ＨＲが挿入用の隙間１７を経由して紐留め具Ｓから外れてしまうことが防止され、安心して使用することができる。また、突出部１５により、紐留め具Ｓを予めブラジャー等に装着した後、ブラジャーを着用しようとした際に紐留め具Ｓから肩紐ＨＬ，ＨＲが外れることも防止されるため、紐留め具Ｓを使用したブラジャーの着用も容易になる。
【００２４】
衣服用紐留め具Ｓは、さらに、それぞれ２本の第一係止片２２，２４及び第二係止片３２，３４における連結杆１０側の縁である内縁２２ａ，２４ａ，３２ａ，３４ａが、連結杆１０との間にブラジャー等の衣服の肩紐を挿通可能な程度の僅かな隙間８を設けて連結杆１０に対して平行に配置されている。この構成によれば、隙間８がより大きく設定された場合に比べて、ブラジャーの着用時あるいは着用中に紐留め具Ｓから肩紐が外れにくくなり、ブラジャーの着用がより容易になり、また、一層安心して使用することができる。
【００２５】
さらに本考案の衣服用紐留め具Ｓは、上述したように連結杆１０の中央に設けられた突出部１５の部位を中心に、すなわち、連結杆１０の長手方向の中心を連結杆１０の軸直交方向に沿って通る線に対して、左右対称形に形成され、連結杆１０から離れた側の外縁２２ｂ，２４ｂ，３２ｂ，３４ｂが、それぞれ元部から連結杆１０側に次第に近づくように延びて内縁２２ａ，２４ａ，３２ａ，３４ａと連結されるように形成されている。これにより、紐留め具Ｓは全体として観察した場合に、ちょうちょ結びをしたリボンのような形状となり、見た目にも可愛らしく、より外観の優れたものを身に付けたいという女性の要望にも応えることができる。しかしながら、機能だけを重視すれば、本実施例のような外観リボン状とせずともよい。
【００２６】
なお、本実施形態では、衣服用紐留め具Ｓを装着する衣類としてブラジャーＢを挙げて説明したが、本紐留め具を使用できる衣類はこれに限らず、スリップやキャミソール等に使用してもよい。
【符号の説明】
【００２７】
１  ・・・  第一基部
５  ・・・  第二基部
８  ・・・  隙間
１０  ・・・  連結杆
１５  ・・・  突起部
２２  ・・・  第一係止片
２２ａ  ・・・  内縁
２２ｂ  ・・・  外縁
２４  ・・・  第一係止片
２４ａ  ・・・  内縁
２４ｂ  ・・・  外縁
３２  ・・・  第二係止片
３２ａ  ・・・  内縁
３２ｂ  ・・・  外縁
３４  ・・・  第二係止片
３４ａ  ・・・  内縁
３４ｂ  ・・・  外縁
ＨＬ  ・・・  肩紐
ＨＲ  ・・・  肩紐
Ｓ  ・・・  衣服用紐留め具
【図１】
0003153429.tif 000003
【図２】
0003153429.tif 000004
【図３】
0003153429.tif 000005
【図４】
0003153429.tif 000006